(57)【要約】  【課題】  光ディスク装置において、適切な記録パワーが得られる記録ストラテジを短時間で設定可能にする。  【解決手段】  １つのディスク製造業者ＩＤ当り複数の異なる記録ストラテジを記憶手段に記憶し、装着された光ディスクのディスク製造業者ＩＤに対応した記録ストラテジのうちの１つを、上記記憶された複数の記録ストラテジの中から読み出し、該読み出した記録ストラテジによる記録テストを行い、該テストの結果から記録パワーの適否を判別し、該判別結果に基づき、記録のための記録ストラテジを設定する。【選択図】  図３
2005228418.tif 000002
【特許請求の範囲】
【請求項１】
記録ストラテジに従い光ディスクに情報を記録する光ディスク装置であって、
１つのディスク製造業者ＩＤ当り複数の異なる記録ストラテジを記憶する記憶手段と、
装着された光ディスクのディスク製造業者ＩＤに対応した記録ストラテジのうちの１つを上記記憶手段から読み出し、該読み出した記録ストラテジによる記録テストを行わせ、該テストの結果から記録パワーの適否を判別し、該判別結果に基づき、記録のための記録ストラテジを設定する制御手段と、
を備え、記録動作に先立ち、所定の記録パワーが得られる記録ストラテジを、複数の中から選んで設定する構成としたことを特徴とする光ディスク装置。
【請求項２】
記録ストラテジに従い光ディスクに情報を記録する光ディスク装置であって、
１つのディスク製造業者ＩＤ当り複数の異なる記録ストラテジを記憶する記憶手段と、
装着された光ディスクの上記ディスク製造業者ＩＤを判別する手段と、
上記判別したディスク製造業者ＩＤに対応した記録ストラテジのうちの１つを、上記記憶手段に記憶された複数の記録ストラテジの中から読み出して参照する手段と、
上記参照した記録ストラテジに従い実施される記録テストの結果から、記録パワーの適否を判別する手段と、
上記記録パワーの判別結果に基づき、情報記録のための記録ストラテジを設定する手段と、
を備え、記録動作に先立ち、所定の記録パワーが得られる記録ストラテジを、複数の中から選んで設定する構成としたことを特徴とする光ディスク装置。
【請求項３】
記録ストラテジに従い光ディスクに情報を記録する光ディスク装置の情報記録方法であって、
装着された光ディスクのディスク製造業者ＩＤを判別するステップと、
上記判別したディスク製造業者ＩＤに対応した記録ストラテジを、記憶手段に記憶された該ディスク製造業者ＩＤ当り複数の記録ストラテジの中から読み出して参照するステップと、
上記参照した記録ストラテジに従い記録テストを行うステップと、
上記記録テストの結果から、記録パワーの適否を判別するステップと、
上記記録パワーの判別結果に基づき、情報記録のための記録ストラテジを設定するステップと、
を経て、上記設定した記録ストラテジに基づき、情報記録を行う構成としたことを特徴とする光ディスク装置の情報記録方法。
【発明の詳細な説明】
【技術分野】
【０００１】
本発明は、光ディスクに対し情報を記録する光ディスク装置に係り、特に、記録ストラテジの設定に関する。
【背景技術】
【０００２】
本発明に関連した従来技術としては、例えば、特開２００３−５９０４７号公報（特許文献１）や特開２００２−２８８８２７号公報（特許文献２）に記載されたものがある。特開２００３−５９０４７号には、メモリに容易された全部または適宜選択された複数の記録ストラテジー（記録ストラテジ）を用いて、それぞれ記録パワーを変化させてテスト記録を行い、相対的に高い信号品位が得られる記録ストラテジーを選択して本番の記録に用いるとする技術が記載され、特開２００２−２８８８２７号公報には、１つのディスクベンダ（製造会社、販売会社）に対して複数のライトストラテジ（記録ストラテジ）をＥＥＰＲＯＭに記憶しておき、該複数のライトストラテジの中から、光ディスクの使用目的に適合した１つのライトストラテジを選択して設定するとした技術が記載されている。
【０００３】
【特許文献１】特開２００３−５９０４７号公報
【０００４】
【特許文献２】特開２００２−２８８８２７号公報
【発明の開示】
【発明が解決しようとする課題】
【０００５】
上記特開２００３−５９０４７号公報記載の技術は、複数の記録ストラテジー（記録ストラテジ）のそれぞれで、記録パワーを変化させてテスト記録を行い、相対的に高い信号品位が得られる記録ストラテジーを選択するものであるため、記録ストラテジー（記録ストラテジ）の設定に時間がかかるおそれがある。また、上記特開２００２−２８８８２７号公報記載の技術は、ＥＥＰＲＯＭに記憶した複数のライトストラテジ（記録ストラテジ）の中から、光ディスクの使用目的に適合した１つのライトストラテジを選択するものであり、適切な記録パワーが得られるようにライトストラテジを設定するものではない。
本発明の課題点は、上記従来技術の状況に鑑み、光ディスク装置において、情報記録時に、適切な記録パワーが得られる記録ストラテジを短時間で設定できるようにすることである。
本発明の目的は、かかる課題点を解決し、短時間で情報の記録動作を開始できかつ記録品質を確保可能な光ディスク装置の記録制御技術を提供することにある。
【課題を解決するための手段】
【０００６】
上記課題点を解決するために、本発明では、光ディスク装置において、１つのディスク製造業者ＩＤ当り複数の異なる記録ストラテジを記憶手段に記憶し、装着された光ディスクのディスク製造業者ＩＤに対応した記録ストラテジのうちの１つを、上記記憶された複数の記録ストラテジの中から読み出し、該読み出した記録ストラテジによる記録テストを行い、該テストの結果から記録パワーの適否を判別し、該判別結果に基づき、記録のための記録ストラテジを設定する。上記記録パワーの判別の結果、記録パワーが適切である場合は該記録ストラテジを記録用として設定し、適切でない場合は、上記複数の記録ストラテジの中の他の記録ストラテジを上記記憶手段から読出して記録テストを行い、記録パワーの適否を判別して、適切な記録パワーが得られる記録ストラテジを設定する。具体的には、上記を基本構成要件とする光ディスク装置と、上記を経時的基本動作要件とする光ディスク装置の情報記録方法とを本発明として提案する。
【発明の効果】
【０００７】
本発明によれば、光ディスク装置において、光ディスク装置において、適切な記録パワーが得られる記録ストラテジを短時間で設定でき、情報記録動作を迅速に開始することができる。
【発明を実施するための最良の形態】
【０００８】
以下、本発明を実施するための最良の形態につき、図面を用いて説明する。
図１〜図３は、本発明の実施形態の説明図である。図１は、本発明の実施形態としての光ディスク装置の構成例図、図２は光ディスクの記録感度の特性例図、図３は、図１の光ディスク装置における記録動作の説明図である。
【０００９】
図１において、１は光ディスク、２は光ディスク１を回転駆動するためのディスクモータ、３は、ディスクモータ２を駆動するモータ駆動部、４は、光ディスク１に対しレーザ光を照射し、該光ディスクにデータを記録したり、記録されたデータを読み出したりする光ピックアップ、５は、光ピックアップ４が光ディスク１の所定のトラック位置への移動を制御するためのＰＵ駆動部、６は、光ピックアップ４により読み出されたデータに基づき再生信号の増幅処理を行うＲＦ増幅部、７は、光ピックアップ４内のレーザダイオード（図示なし）を駆動するレーザ駆動部、８は、ＲＦ増幅部６からの信号をデジタル化してデータ処理を行うＤＳＰ（Ｄｉｇｉｔａｌ  Ｓｉｇｎａｌ  Ｐｒｏｃｅｓｓｏｒ）、９は装置全体の制御を行うマイコン、１３は、外部装置としてのホストコンピュータ、１０は、マイコンが、要求信号に対応してホストコンピュータ１３へ送出される転送データを所定時間保持しておくための記憶手段としてのメモリ、１１は、ホストコンピュータ１３からの転送データまたはＤＳＰ８からの転送データを一時的に保存するためのバッファメモリ、１２は、マイコン９の指示により、ホストコンピュータ１３からの要求信号を受信したり、データをバッファメモリ１１に取入れたり、該バッファメモリ１１のデータをホストコンピュータ１３に送信したりするインターフェース部である。メモリ１０には予め、１つのディスク製造業者ＩＤ当り複数の異なる記録ストラテジが記憶されている。
【００１０】
本実施形態では、ＤＳＰ８とマイコン９が光ディスク装置の制御手段を構成する。ＤＳＰ８は、マイコン９により制御され、ＲＦ増幅部６からの再生信号に基づき、トラッキング制御用信号やフォーカス制御用信号やモータ制御用信号などの形成とともに、ホストコンピュータ１３側からの指示に従い、マイコン９とともに、記録情報の形成、記録情報を記録するための制御などを行う。トラッキング制御用信号やフォーカス制御用信号は、ＰＵ駆動部５に入力されて光ピックアップ４を制御し、モータ制御用信号は、モータ駆動部３に入力されて、ディスクモータ２の回転を制御し、記録情報や該記録情報を記録するための制御信号は、レーザ駆動部７に入力されて、光ディスクへの情報の記録動作を制御する。情報（記録情報）を記録するにあたっては、ＤＳＰ８は、マイコン９により制御された状態で、所定の記録パワーが得られる記録ストラテジの設定を行う。
【００１１】
ＤＳＰ８は、マイコン９により制御された状態で、光ディスク装置に装着された光ディスクのディスク製造業者ＩＤに対応した複数の記録ストラテジのうちの１つを、メモリ１０から読み出し、該読み出した記録ストラテジによる記録テストを該光ディスク装置に行わせ、該テストの結果から記録パワーの適否を判別し、該判別結果に基づき、情報記録のための記録ストラテジを設定する。すなわち、制御手段としてのＤＳＰ８とマイコン９は、光ディスク装置に装着された光ディスクの上記ディスク製造業者ＩＤを判別する手段と、該判別したディスク製造業者ＩＤに対応した記録ストラテジのうちの１つを、上記メモリ１０に記憶された複数の記録ストラテジの中から読み出して参照する手段と、該参照した記録ストラテジに従い実施される記録テストの結果から、記録パワーの適否を判別する手段と、該記録パワーの判別結果に基づき、情報記録のための記録ストラテジを設定する手段とを備え、情報の記録動作に先立ち、所定の記録パワーが得られる記録ストラテジを、メモリ１０に記憶された複数の記録ストラテジの中から選んで設定する。上記記録パワーの判別の結果、記録パワーが適切である場合は、該記録ストラテジを記録用として設定し、一方、適切でない場合は、上記複数の記録ストラテジの中の他の記録ストラテジを上記メモリ１０から読出して再び記録テストを行い、記録パワーの適否を判別して、適切な記録パワーが得られる記録ストラテジを設定する。
【００１２】
図２は、光ディスクの記録感度の特性例図である。図２において用いる上記図１の装置の構成要素には、該図１の場合と同じ符号を付す。
図２において、横軸は記録パワー、縦軸は記録品質を示すβ値（再生信号波形の最大振幅と最小振幅の比）である。βＴは目標とするβ値である。本発明は、該記録感度特性に基づき、βＴとなる記録パワーを求める処置すなわちＯＰＣ（Ｏｐｔｉｍｕｍ  Ｐｏｗｅｒ  Ｃａｌｉｂｒａｔｉｏｎ）を行う。特性中、Ａは、記録面の感度が適正で、記録に用いた記録ストラテジに整合した光ディスクの記録感度特性、Ｂは、記録面の感度が高過ぎて、記録に用いた記録ストラテジに整合しない光ディスクの記録感度特性、Ｃは、記録面の感度が低過ぎて、記録に用いた記録ストラテジに整合しない光ディスクの記録感度特性である。すなわち、記録感度特性Ａ、Ｂ、Ｃとも、同じ記録ストラテジを用いて記録している。記録感度特性Ａでは、該用いた記録ストラテジで、適正な記録パワーＰＡで目標とするβ値であるβＴが得られ、記録感度特性Ｂでは、該用いた記録ストラテジで、低過ぎる記録パワーＰＢで目標とするβ値であるβＴが得られてしまい、記録感度特性Ｃでは、該用いた記録ストラテジで、高過ぎる記録パワーＰＣを供給してはじめて、目標とするβＴが得られる。
【００１３】
記録パワーＰは、高過ぎる場合もまたは低過ぎる場合も、ジッタやＰＩエラー（デコード不良によるエラー）を増大させる。従って、記録感度が低過ぎて記録パワーＰが高過ぎる、すなわち目標のβＴを得るためにもっと高い記録パワー（高パワー）が必要な記録感度特性Ｃの光ディスクの場合は、用いる記録ストラテジを別の高パワー用の記録ストラテジに変えて、目標のβＴを得るための記録パワーをもっと低減させて適正な値ＰＡまたは該ＰＡを含む適正範囲の値にすることが必要である。同様に、記録感度が高過ぎて記録パワーＰが低過ぎる、すなわち目標のβＴを得るために低過ぎる記録パワー（低パワー）で足りてしまう記録感度特性Ｃの光ディスクの場合は、用いる記録ストラテジを別の低パワー用の記録ストラテジに変えて、目標のβＴを得るための記録パワーをもっと増大させて適正な値ＰＡまたは該ＰＡを含む適正範囲の値にすることが必要である。
【００１４】
本発明では、光ディスクのディスク製造業者ＩＤに対応して準備した複数の記録ストラテジのうちから、上記記録パワーを適正範囲の値にすることができる記録ストラテジを１つ選び、該選んだ記録ストラテジを用いて情報の記録動作を行う。
【００１５】
図３は、図１の光ディスク装置における記録動作の説明図である。図３において用いる上記図１の装置の構成要素または上記図２の特性中の符号にも、該図１及び該図２の場合と同じ符号を付す。
【００１６】
図３において、
（１）装着された光ディスクの記録感度を求める動作をスタートさせる（ステップＳ３０１）。
（２）ディスク製造業者ＩＤを読取る（ステップＳ３０２）。
（３）上記読取ったディスク製造業者ＩＤに対応した１つの記録ストラテジを、メモリ１０に記憶された複数の記録ストラテジ（該ディスク製造業者ＩＤの記録ストラテジ）の中から読み出して参照する（ステップＳ３０３）。
（４）上記参照した記録ストラテジにて記録テストを行う（ステップＳ３０４）。
（５）目標のβＴを得るための記録パワーの値を求める（ステップＳ３０５）。
（６）上記求めた記録パワー値は適正範囲か否かを判別する（ステップＳ３０６）。
（７）上記ステップＳ３０６の判別の結果、上記求めた記録パワー値が適正範囲の値である場合は、該記録ストラテジすなわち上記ステップＳ３０３で参照した記録ストラテジをそのまま情報記録用の記録ストラテジとして設定し、記録パワーも該求めた記録パワー値を情報記録用の記録パワーとして設定する（ステップＳ３０７）。
（８）上記設定した記録ストラテジ及び記録パワーで本番の情報記録を開始する（ステップＳ３０８）。
（９）上記ステップＳ３０６の判別の結果、上記求めた記録パワー値が適正範囲の値でない場合は、該記録パワーが高過ぎるか低過ぎるかを判別する（ステップＳ３０９）。
（１０）上記ステップＳ３０９の判別の結果、記録パワーが適正範囲を外れて高過ぎる場合は、上記メモリ１０に記憶された複数の記録ストラテジ（同一ディスク製造業者ＩＤの記録ストラテジ）のうちから、ステップＳ３０３で参照した記録ストラテジとは別の記録ストラテジであって、記録パワーをもっと低減できる高パワー用の記録ストラテジに変えて記録テストを行う（ステップＳ３１０）。
【００１７】
（１１）目標のβＴを得るための記録パワーの値を求める（ステップＳ３１２）。
（１２）上記求めた記録パワー値は適正範囲か否かを判別する（ステップＳ３１３）。
（１３）上記ステップＳ３１３の判別の結果、上記求めた記録パワー値が適正範囲の値である場合は、上記ステップＳ３０７に移行し、該記録ストラテジすなわち上記ステップＳ３１０で変えて記録テストに使用した記録ストラテジをそのまま情報記録用の記録ストラテジとして設定し、記録パワーも該求めた記録パワー値を情報記録用の記録パワーとして設定し（ステップＳ３０７）、本番の情報記録動作を開始する（ステップＳ３０８）。
（１４）一方、上記ステップＳ３０９の判別の結果、記録パワーが適正範囲を外れて低過ぎる場合は、上記メモリ１０に記憶された複数の記録ストラテジ（同一ディスク製造業者ＩＤの記録ストラテジ）のうちから、ステップＳ３０３で参照した記録ストラテジとは別の記録ストラテジであって、記録パワーをもっと増大させる低パワー用の記録ストラテジに変えて記録テストを行う（ステップＳ３１１）。
（１５）目標のβＴを得るための記録パワーの値を求める（ステップＳ３１２）。
（１６）上記（１５）のステップＳ３１２で求めた記録パワー値は適正範囲か否かを判別する（ステップＳ３１３）。
（１７）上記（１６）のステップＳ３１３の判別の結果、上記求めた記録パワー値が適正範囲の値である場合は、上記ステップＳ３０７に移行し、該記録ストラテジすなわち上記ステップＳ３１１で変えて記録テストに使用した記録ストラテジをそのまま情報記録用の記録ストラテジとして設定し、記録パワーも該求めた記録パワー値を情報記録用の記録パワーとして設定し（ステップＳ３０７）、本番の情報記録動作を開始する（ステップＳ３０８）。
【００１８】
上記本発明の実施形態によれば、光ディスク装置において、情報記録時に、適切な記録パワーが得られる記録ストラテジを短時間で設定できる。このため、記録品質も確保と短時間内での情報記録動作の開始が可能となる。
なお、上記実施形態では、メモリ１０を、ＤＳＰ８やマイコン９から成る制御手段とは別個に設けたが、該制御手段内に設ける構成としてもよい。
【図面の簡単な説明】
【００１９】
【図１】本発明の実施形態としての光ディスク装置の構成例図である。
【図２】光ディスクの記録感度の特性例図である。
【図３】図１の光ディスク装置における記録動作の説明図である。
【符号の説明】
【００２０】
１…光ディスク、
２…ディスクモータ、
３…モータ駆動部、
４…光ピックアップ、
５…ＰＵ駆動部、
６…ＲＦ増幅部、
７…レーザ駆動部、
８…ＤＳＰ、
９…マイコン、
１０…メモリ、
１１…バッファメモリ、
１２…インターフェース部、
１３…ホストコンピュータ。
【図１】
2005228418.tif 000003
【図２】
2005228418.tif 000004
【図３】
2005228418.tif 000005